(57)【要約】      （修正有）【課題】折り畳みが容易な紙製トレーを提供する。【解決手段】紙製トレー１は、矩形の底板６と、当該底板６の対向する２辺から連接された外側面板５と、底板６の中央近傍に外側面板５と略平行に連接された間仕切板８と、底板６に間仕切板８と外側面板５とを介在させて連接された矩形の枠板２と、当該枠板２の１辺に連接され、上端から外側面板５の高さ方向の長さと略同一の長さ付近に折線を有する。当該折線により一部を折り曲げて底板６に重ねることで立ち上がり成形させる内側面板４とを備えて成り、枠板２には外側面板５と連接する２辺が、当該２辺に対向する底板６の２辺より短く、開口部と、当該開口部の内周に沿って中心方向に突出させた突起片３が設けられ、内側面板４は、２つの半楕円形の切込み７および両側に立ち上がり成形時に外側面板５に設けられた差込孔１１に差し込むことで係止させる差込片９が設けられる。【選択図】図１
0003210644.tif 000002
【実用新案登録請求の範囲】
【請求項１】
矩形の底板と、該底板の対向する２辺から連接された外側面板と、前記底板の中央近傍に前記外側面板と略平行に連接された間仕切板と、前記底板に前記間仕切板と前記外側面板とを介在させて連接された矩形の枠板と、該枠板の１辺に連接され、上端から前記外側面板の高さ方向の長さと略同一の長さ付近に折線を有し、該折線により一部を折り曲げて前記底板に重ねることで立ち上がり成形させる内側面板とを備えて成り、
前記枠板には外側面板と連接する２辺が、該２辺に対向する前記底板の２辺より長さが短く、開口部と、該開口部の内周に沿って中心方向に突出させた突起片が設けられ、
前記内側面板には、２つの半楕円形の切込みおよび両側に立ち上がり成形時に前記外側面板に設けられた差込孔に差し込むことで係止させる差込片が設けられること、
を特徴とする紙製トレー。
【請求項２】
２つの前記紙製トレーが、それぞれの前記内側面板が向かい合うよう、前記底板および前記外側面板がそれぞれ一体として形成され、前記底板および前記外側面板のそれぞれの中間部にはミシン目が設けられていること、
を特徴とする請求項１に記載の紙製トレー。
【考案の詳細な説明】
【技術分野】
【０００１】
本考案は、折り畳みが容易な紙製トレーに関する。
【背景技術】
【０００２】
トレーとは、一般的に、複数の飲食物等を人が持ち運ぶための盆や箱の容器等であり、特にテイクアウト用のトレーは、ファーストフード、カフェ、弁当店、牛丼チェーン店などで多く見受けられ、複数の飲食物をトレーに載せて保持することで、一度に簡単に持ち運んで店舗から持ち帰ることができるため、その需要を高めている。
【０００３】
このようなトレーの多くは、使い捨て等のために基材を紙とする紙製であり、未使用時または使用終了時には折り畳んでコンパクトにした状態で収納等され、使用時に組み立てて立ち上がり成形するものである。
【０００４】
紙製トレーとして、例えば、特許文献１に記載のとおり、天板に複数の開口部を備え、当該天板側の両側板には、中央近傍の外端部に差込片を設けて、底板と各側面との間に差込片を挿入する切欠部を形成した紙製トレーが開示されている。
【先行技術文献】
【特許文献】
【０００５】
【特許文献１】特開２０１２−１２０７３号公報
【考案の概要】
【考案が解決しようとする課題】
【０００６】
しかしながら、特許文献１に開示された紙製トレーでは、使用終了後、紙製トレーを捨てるために折り畳む際、差込片を切欠部から抜き出す操作が差込片分必要となり、使い勝手が十分でないといった問題があった。
【０００７】
本考案の目的は、上述した問題に鑑みてなされたもので、折り畳みが容易な紙製トレーを提供することにある。
【課題を解決するための手段】
【０００８】
本考案に係る紙製トレーは、矩形の底板と、当該底板の対向する２辺から連接された外側面板と、底板の中央近傍に外側面板と略平行に連接された間仕切板と、底板に間仕切板と外側面板とを介在させて連接された矩形の枠板と、当該枠板の１辺に連接され、上端から外側面板の高さ方向の長さと略同一の長さ付近に折線を有し、当該折線により一部を折り曲げて底板に重ねることで立ち上がり成形させる内側面板とを備えて成り、枠板には外側面板と連接する２辺が、当該２辺に対向する底板の２辺より長さが短く、開口部と、当該開口部の内周に沿って中心方向に突出させた突起片が設けられ、内側面板には、２つの半楕円形の切込みおよび両側に立ち上がり成形時に外側面板に設けられた差込孔に差し込むことで係止させる差込片が設けられる。
【０００９】
また、本考案に係る紙製トレーは、２つの紙製トレーが、それぞれの内側面板が向かい合うよう、底板および外側面板がそれぞれ一体として形成され、底板および外側面板のそれぞれの中間部にはミシン目が設けられていてもよい。
【考案の効果】
【００１０】
本考案に係る紙製トレーは、上述した構成である。このような構成によれば、紙製トレーの立ち上がり成形の状態から、２つの半楕円形の切込みに指を引っ掛けて内側面板を外側に引っ張るだけで、内側面板の折り曲がっている形態を略直線上に伸ばして倒すことができ、それと同時に、内側面板に枠板を介して連接されている間仕切板と外側面板も立ち上がり状態から倒すことができ、容易に、紙製トレー全体で折り畳み状態にすることができる。
【図面の簡単な説明】
【００１１】
【図１】（ａ）本考案の第一実施形態に係る紙製トレーを左上後方から見た斜視図である。（ｂ）本考案の第二実施形態に係る紙製トレーを左上後方から見た斜視図である。
【図２】本考案の第一実施形態に係る紙製トレーの平面図である。
【図３】本考案の第一実施形態に係る紙製トレーの側面図である。
【図４】本考案の第一実施形態に係る紙製トレーの側面図である。
【考案を実施するための形態】
【００１２】
以下、図面を参照しつつ本発明を実施するための形態について説明する。
【００１３】
（第一実施形態）
以下、本考案の第一実施形態に係る紙製トレー１を図面に基づいて説明する。
【００１４】
図１（ａ）を用いて、第一実施形態に係る紙製トレー１の構成等を説明する。図１（ａ）は、第一実施形態に係る紙製トレー１を左上後方から見た斜視図である。図１（ａ）には、紙製トレー１が立ち上がり成形し、飲食物等を保持して持ち運ぶために組み立てられた状態を示している。
【００１５】
図１（ａ）に示すとおり、第一実施形態に係る紙製トレー１は、枠板２と、内側面板（４a、４ｂ）と、外側面板５と、底板６から構成される。
【００１６】
図１に示すとおり、底板６は、矩形状に形成された板状の紙である。底板６は、一定の折り曲げ強度があれば、どの様な材質の紙でもよく、例えば、厚紙を使用してもよい。以降、各板の材質においても同様である。底板６は、一枚から形成してもよいし、図１（ａ）に示すように二枚から形成して中央近傍でそれぞれの一端を重ねて接着剤等で接着することで形成してもよい。
【００１７】
図１に示すとおり、底板６は、中央近傍に半円の孔を形成してもよい。このような孔によれば、後述する二つの紙製トレー１を、それぞれの底板６の１辺をミシン目等によって繋ぎ合わせて２つ組み合わせて紙製トレー１０を形成した際に、中央に指を入れて切り離し易くすることができる。
【００１８】
図１（ａ）に示すとおり、外側面板５は、底板６の周縁の対向する２辺から連接された板状の紙である。図１（ａ）に示すとおり、外側面板５には、内側面板の差込片９を差し込んで係止するための差込孔１１を設けられる。図１（ａ）に示すとおり、外側面板５は、例えば、枠板２とその上端が連接部分でない部分の下端に形成してもよい。外側面板５は、差込孔１１は、差込片９の差込操作と抜出操作が可能であれば、どの様な大きさおよび形状でもよい。差込孔１１は、例えば、末広がりの台形の形状に形成し、当該台形の底辺が差込片９の長さより長くすることで、差込孔１１内での差込片９の移動が可能になり、スムーズに差込および抜出操作が可能となる。
【００１９】
図１（ａ）に示すとおり、間仕切板８は、底板６の中央近傍に外側面板５と略並行に連接された板状の紙である。このような構成とすることで、例えば、枠板２の開口部に入れて保持する飲食物を仕切る他、立ち上がり成形時に枠板を外側面板５と支持することができる。
【００２０】
図１（ａ）に示すとおり、枠板２は、底板６に間仕切板８と外側面板５とを介在させて連接された矩形の板状の紙である。枠板２は、外側面板５と連接する周縁の２辺が、当該２辺に対向する底辺６の２辺より短く形成される。また、枠板２は、図１（ａ）に示すとおり、例えば、角を丸くした矩形でもよい。  
【００２１】
図１（ａ）に示すとおり、枠板２は、外側面板５と連接する２辺を、当該２辺に対抗する底板６の２辺より長さを短くすることで、ブランクスペースが生じ、当該スペースにおいて、内側面図の一部４ｂを折り曲げて底面に重ねて立ち上がり成形することができ、また、後述する第二の実施形態における紙製トレー１０の飲食物を載置し保持するスペースとすることもできる。
【００２２】
図１（ａ）に示すとおり、枠板２には、開口部と、当該開口部の内周に沿って中心方向に突出させた突起片３が設けられる。なお、図１（ａ）等において円形の例を示しているが、当該開口部の形状は円形に限らず、矩形でもよく、保持したい対象物に合わせて適宜形成すればよい。このような突起片３が設けられることで、当該開口部に入れて固定して保持する飲食物において、当該固定を補強することができる。
【００２３】
図１（ａ）に示すとおり、内側面板４（４ａ、４ｂ）は、枠板２に連接され、上端から外側面板５の高さ方向の長さと略同一の長さ付近に折線を有し、当該折線により一部を折り曲げて底板６に重ねることで立ち上がり成形させる板状の紙である。内側面板４（４ａ、４ｂ）は、具体的には、紙製トレー１の一側面の板となり高さ方向に立ち上がる部分の４ａ（以降、「内側面板上部４ａ」という）、底板と重ねるよう折り曲がる部分の４ｂ（以降、「内側面板下部４ｂ」という）とから構成される。
【００２４】
図１（ａ）に示すとおり、内側面板上部４ａには、２つの半楕円形の切込みが設けられる。当該切込みは、例えば、内側面板上部４ａの中央近傍に設けられてもよい。当該切込みは、紙製トレー１を組み立て形成から、折り畳む際に二本の指を差し入れて引っ掛けて内側面板４を外側に引っ張ることで、外側面板の差込孔１１に係止していた差込片９が抜き出され、内側面板が引き伸ばされ、それと同時に紙製トレー１全体が組み立て状態から倒されて折り畳むことができる。
【００２５】
すなわち、第一実施形態に係る紙製トレー１は、このような構成とすることで、２つの半楕円形の切込みに指を引っ掛けて内側面板を外側に引っ張るだけで、内側面板の折り曲がっている形態を略直線上に伸ばして倒すことができ、それと同時に、内側面板に枠板を介して連接されている間仕切板と外側面板も立ち上がり状態から倒すことができ、容易に、紙製トレー全体で折り畳み状態にすることができる。
【００２６】
図２（ａ）は、第一実施形態に係る紙製トレー１の組み立て時の平面図である。
【００２７】
図２（ａ）に示すとおり、枠板２は、外側面板５に連接する周縁の２辺が底板６の周縁の２辺より長さが短い矩形を形成している。また、内側面板４ｂは、底板６に略平行に重なり、外側面板５の差込孔１１の差込片９を差し込んで係止することで、固定して立ち上がり成形させる。
【００２８】
図２（ａ）に示すとおり、枠板２の開口部は短手方向に二つ並んで配置して形成しているが、店舗の業種業態に応じて、適宜開口部の個数、位置、形状を設定すればよい。
【００２９】
図２（ｂ）は、第一実施形態に係る紙製トレー１の折り畳み時の平面図である。図２（ｂ）に示すとおり、内側面板４（４ａ、４ｂ）は、高さ方向（短手方向）の長さを、底板６の外側面板５に連接する辺の長さから、枠板２の外側面板５に連接する辺の長さを引いた長さと略同一することで、折り畳み時に収まりよく形成することができる。
【００３０】
図３（ａ）は、第一実施形態に係る紙製トレー１の右側から見た側面図である。図３（ａ）は、第一実施形態に係る紙製トレー１の組み立てた状態の図である。
【００３１】
図３（ａ）に示すとおり、内側面板上部４ａに設けられた切込み７は、例えば、間仕切板８と中心に線対称に配置してもよい。この様に配置することで切込み７に指を引っ掛けて引っ張る際の力が紙製トレー１の中央近傍に設けられた間仕切板８を中心に左右バランスよくかかるため、折り畳み操作が指を引っ掛けて引っ張るだけの操作でもスムーズに行うことができる。
【００３２】
図３（ｂ）は、第一実施形態に係る紙製トレー１の左側から見た側面図である。図３（ｂ）は、図３（ａ）と同様に、第一実施形態に係る紙製トレー１の組み立てた状態の図である。
【００３３】
図３（ａ）に示すとおり、内側面板上部４ａに設けられた切込み７は、例えば、内側面板上部４ａの高さ方向の中央近傍に２つ配置し、また、２つの切込み７は、所定の間隔をあけて配置してもよい。当該所定の間隔は、人の指の特に人差し指と中指の配置や開き幅を考慮して、適宜設定すればよい。
【００３４】
図４は、第一実施形態に係る紙製トレー１の正面から見た側面図である。図４は、第一実施形態に係る紙製トレー１の組み立てた状態の図である。なお、第一実施形態に係る紙製トレー1の背面から見た側面図も対称に同様である。
【００３５】
図４に示すとおり、枠板２が角を丸めた形状の場合、外側面板５は、当該角のカーブの終端から連接してもよい。
【００３６】
（第二実施形態）
以下、本考案の第二実施形態に係る紙製トレー１０を図面に基づいて説明する。
【００３７】
図１（ｂ）を用いて、第二実施形態に係る紙製トレー１０の構成等を説明する。図１（ｂ）は、第二実施形態に係る紙製トレー１０を左上後方から見た斜視図である。図１（ｂ）には、紙製トレー１０が立ち上がり成形し、飲食物等を保持して持ち運ぶために組み立てられた状態を示している。
【００３８】
図１（ｂ）に示すとおり、第二実施形態に係る紙製トレー１０は、第一実施形態に係る紙製トレー１を二つ、それぞれの内側面板４（４ａ）が向かい合うよう、底板６および外側面板５がそれぞれ一体として形成され、底板６および外側面板５のそれぞれの中間部にはミシン目が設けられていてもよい。当該ミシン目により２つの紙製トレー１が分離可能に形成することができる。
【００３９】
図１（ｂ）に示すとおり、第二実施形態に係る紙製トレー１０は、立ち上がり成形時に、それぞれの枠板２の外側面板５と連接する辺の長さを、底板６の外側面板５と連接する辺の長さより短くすることで、それぞれの内側面板上部４ａ間にブランクスペースが生じ、当該スペースにおいて、枠板２の開口部とは別途、飲食物を載置し保持することもできる。
【００４０】
図１（ｂ）に示すとおり、第二実施形態に係る紙製トレー１０は、このような構成とすることで、持ち運ぶ飲食物の形状または個数に応じて、形状を変更することができるため汎用性の高い紙製トレーを提供することができる。なお、紙製トレー１を繋ぎ合わせるのがミシン目のため、切り離しも容易であり、この点においても汎用性の高い紙製トレーを提供することができる。
【００４１】
以上の詳細説明は本考案における実施例の具体的説明にとどまり、これをもって本考案の登録請求範囲が限定されるべきではなく、本考案に係わる技能に精通した者が、本考案の趣旨に従って同等の効果を得た場合は、以下における本考案の登録請求範囲内とする。
【符号の説明】
【００４２】
１    紙製トレー（第一実施形態）
２    枠板
３    突起片
４    内側面板
５    外側面板
６    底板
７    切込み
８    間仕切板
９    差込片
１０  紙製トレー（第二実施形態）
１１  差込孔
【図１】
0003210644.tif 000003
【図２】
0003210644.tif 000004
【図３】
0003210644.tif 000005
【図４】
0003210644.tif 000006